(57)【要約】      （修正有）【課題】複雑な制御を必要とせずに接着剤を塗布することが可能であって、緩衝性を十分に備えた緩衝紙を形成可能な緩衝紙の製造方法を提供すること。    【解決手段】平坦なベース紙１０と、凹凸を形成するように加工された加工紙２０とを貼り合せることで形成される緩衝紙１００の製造方法において、ベース紙１０の一方の面の複数箇所に、所定間隔をおいて接着剤を筋状に塗布する第１のステップと、接着剤が塗布されたベース紙１０の一方の面と、前記加工紙２０とを貼り合わせて押圧する第２のステップとを含めた。【選択図】図１
2005169774.tif 000002
【特許請求の範囲】
【請求項１】
平坦なベース紙と、凹凸が形成された加工紙とを貼り合せることで形成される緩衝紙の製造方法であって、
ベース紙の一方の面の複数箇所に、所定間隔をおいて接着剤を筋状に塗布する第１のステップと、
接着剤が塗布されたベース紙の一方の面と、前記加工紙とを貼り合わせて押圧する第２のステップと
を含む緩衝紙の製造方法。
【請求項２】
前記筋状の接着剤が、３〜１５ｃｍの間隔で塗布されていることを特徴とする請求項１に記載の緩衝紙の製造方法。
【請求項３】
クラフト紙からなるベース紙と、凹凸が形成された加工紙とを備え、
前記ベース紙の一方の面の複数箇所において、所定間隔をあけて筋状に塗布された接着剤を介して前記ベース紙と加工紙とが貼り合わされていることを特徴とする緩衝紙。
【請求項４】
前記筋状に塗布された接着剤が、３〜１５ｃｍの間隔で塗布されていることを特徴とする請求項３に記載の緩衝紙。
【発明の詳細な説明】
【技術分野】
【０００１】
本発明は、物品を包装し、物品を衝撃から保護する緩衝紙及びその製造方法に関する。
【背景技術】
【０００２】
一般的に、この種の緩衝紙においては、内部に空気を含ませて緩衝性を持たせるため、平坦なベース紙と、凹凸を備えたエンボス紙等の加工紙とを貼り合わせることによって形成される。（例えば特許文献１）
この場合、ベース紙とエンボス紙とを貼り合わせる接着剤は、塗布する接着剤の量を無駄にしないため、エンボス紙の一方の面の凸部全体に転写ローラを用いて塗布されるのが通常である。このように、接着剤が塗布されたエンボス紙の凸部と、ベース紙の一面とを貼りあわせることで、貼り合わされたエンボス紙とベース紙との間に空気が入り込む隙間を備えた緩衝紙を形成することが可能になる。
【特許文献１】特開２０００−７１３５６号公報
【発明の開示】
【発明が解決しようとする課題】
【０００３】
しかしながら、前述のような緩衝紙の製造工程において、エンボス紙の凸部にのみ接着剤を塗布するためには、凸部の高さに応じた転写ローラ上の接着剤の厚さの調整等が必要となる。そのため、エンボス紙の一方の面に接着剤を塗布する際に複雑な制御が必要となる。
【０００４】
また、このようにして形成された緩衝紙は、エンボス紙とベース紙とが全面的に貼り合わされてしまうため、エンボス紙とベース紙との間に形成される隙間が少なく、緩衝性が十分得られない。
【０００５】
本発明は、このような問題点を鑑みてなされたもので、複雑な制御を必要とせずに接着剤を塗布することが可能であって、また、緩衝性を十分に備えた緩衝紙を形成可能な緩衝紙及び緩衝紙の製造方法を提供することを目的としている。
【課題を解決するための手段】
【０００６】
本発明は、上記目的を達成するために、平坦なベース紙と、凹凸を形成するように加工された加工紙とを貼り合せることで形成される緩衝紙の製造方法であって、ベース紙の一方の面の複数箇所に、所定間隔をおいて接着剤を筋状に塗布する第１のステップと、接着剤が塗布されたベース紙の一方の面と、前記加工紙とを貼り合わせて押圧する第２のステップとを含む緩衝紙の製造方法を提案している。
【０００７】
また本発明は、クラフト紙からなるベース紙と、凹凸を形成するように加工された加工紙とを備え、前記ベース紙の一方の面の複数箇所において、所定間隔をあけて筋状に塗布された接着剤を介して前記ベース紙と加工紙とが貼り合わされていることを特徴とする緩衝紙をも提案するものである。
【発明の効果】
【０００８】
本発明に関する緩衝紙の製造方法においては、平坦なベース紙に接着剤を筋状に塗布するため、接着剤を塗布する際に微細な調整や設定を行う必要がなく、接着剤を塗布する工程を簡易なものにすることができる。
【０００９】
さらに、このように形成された緩衝紙は、ベース紙と加工紙とが、ベース紙に筋状に塗布された接着剤によって貼り合わされているため、ベース紙と加工紙との間に隙間が十分に形成され、高い緩衝性が保たれる。
【発明を実施するための最良の形態】
【００１０】
以下、本発明の実施形態について添付図面を参照しつつ説明する。なお説明に用いる図面においては、同一又は同種の部分に同じ番号を付して説明を省略することがある。
図１は、本実施形態に係る緩衝紙製造装置１の概略構成を示す側面図であり、図２は緩衝紙製造装置１の一部分を拡大・省略して示す斜視図である。また、図３は緩衝紙製造装置１の一部分を拡大した側面図である。
【００１１】
本実施形態に係る緩衝紙製造装置１は、平坦なベース紙としてのクラフト紙１０と、エンボス加工により全面に凹凸が形成された加工紙としてのエンボス紙２０とを接着剤を介して貼り合わせるためのものである。図１に示すように、この緩衝紙製造装置１は、エンボス紙２０を送り出しにより供給するエンボス紙供給ロール２１を供えており、ここから供給されるエンボス紙２０は、その経路の途中でクラフト紙１０と貼り合わされた後、下流側に配置された巻き取りロール４０に巻き取られる。
【００１２】
また、エンボス紙供給ロール２１と巻き取りロール４０との間には、エンボス紙２０に適度のテンションを付与するための複数のテンションローラ２１ａ、２１ｂ、３３ａ、３３ｂを設けられている。
【００１３】
エンボス紙２０の経路の下方には、クラフト紙１０を送り出しにより供給するためのクラフト紙供給ロール１１と、送り出されたクラフト紙１０に接着剤１５を塗布する接着剤塗布部１２とが配設されている。接着剤塗布部１２は、回転によってクラフト紙１０に接着剤１５を塗布する転写ローラ１３を備えており、この転写ローラ１３は接着剤１５が収容された接着剤槽１４中にその一部が浸されている。また、転写ローラ１３の表面には、付着した接着剤１５を部分的に掻き取る掻き取り部としてのドクターブレード１６が当接している。ドクターブレード１６は、クラフト紙１０と転写ローラ１３との接点１３ａの手前に配設されている。図２に示すように、ドクターブレード１６は、転写ローラ１３の表面に当接し、転写ローラ１３の軸方向に延びるブレード部１６ａを備えており、ブレード部１６ａの転写ローラ１３との当接部分には、３〜１５ｃｍの一定幅の間隔を空けて切り欠き部１６ａが複数設けられている。
【００１４】
また、転写ローラ１３の上方には、貼り合わせ用ローラ３１が設けられており、転写ローラ１３によって接着剤１５を塗布されたクラフト紙１０と、エンボス紙２０とが接する。また、貼り合わせ用ローラ３１の下流側には、貼り合わせ用ローラ１３と接点を持たない位置に押さえローラ３２が設けられ、貼り合わせ用ローラ１３から送られたクラフト紙１０及びエンボス紙２０を下方に押しつけるように配置されている。なお、貼り合わせ用ローラ３１と押さえローラ３２との間隔は、１０〜５０ｃｍ程度であれば、クラフト紙１０とエンボス紙２０とを確実に貼り合わせることができる。
【００１５】
次に、クラフト紙供給ロール１１から供給されたクラフト紙１０と、エンボス紙供給ロール２１から供給されたエンボス紙２０とが貼り合わされ、緩衝紙１００が形成される手順を説明する。
【００１６】
クラフト紙１０は、クラフト紙供給ロール１１より送り出され、テンションローラ４１ａ、４１ｂを介して転写ローラ１３へと送られる。テンションローラ４１ａ、４１ｂは、供給されるクラフト紙１０のテンション（張力）を一定に保ち、クラフト紙１０が拠れたり皺が生じないように、クラフト紙１０を支持する。
【００１７】
転写ローラ１３の表面には、接着剤槽１４中において付着した接着剤１５がドクターブレード１６によって筋状の接着剤ライン１５ａを残して掻き取られ、この接着剤ライン１５ａが転写ローラ１３上の接点１３ａに接したクラフト紙１０の一方の面に塗布される。こうして、クラフト紙１０は接着剤ライン１５ａが塗布された後、接着剤ライン１５ａを塗布された面が外側となるように、貼り合わせ用ローラ３１に巻き取られる。
【００１８】
一方、エンボス紙供給ロール２１から送り出されたエンボス紙２０は、テンションローラ２１ａ、２１ｂによって所定のテンションが付与された状態で貼り合わせ用ローラ３１に送られる。貼り合わせ用ローラ３１に巻き取られたエンボス紙２０は、貼り合わせ用ローラ３１の上部３１ａでクラフト紙１０の接着剤を塗布された面と接し、接着剤ライン１５ａがエンボス紙２０に接着する。
【００１９】
続いて、貼り合わせ用ローラ３１を通過したクラフト紙１０及びエンボス紙２０は、押さえローラ３１によって押圧される。貼り合わせ用ローラ３１と押さえローラ３２とは、図３に示すように、それぞれクラフト紙１０及びエンボス紙２０を上方、下方に押し付けるように圧着し、両者をしっかりと接着する。このように、貼り合わせ用ローラ３１と押さえローラ３２との位置関係を保ちつつ、クラフト紙１０とエンボス紙２０とを貼り合わせることで、エンボス紙２０の凹凸部分が押し潰れることがなくなり、緩衝紙１００の緩衝性が維持される。
【００２０】
最後に、貼り合わせ用ローラ３１及び押さえローラ３２によって貼り合わせが確定したクラフト紙１０及びエンボス紙２０は、緩衝紙１００としてテンションローラ３２ａ、３２ｂを介して巻取ローラ４０によって巻き取られる。
【００２１】
このような緩衝紙製造装置１を用いて緩衝紙１００を形成する場合、平坦なベース紙に接着剤を塗布するため、エンボス紙等の凹凸がある紙に接着剤を塗布する場合に比して、接着剤の塗布する量、位置などを調整する必要が無い。そのため、接着剤を塗布するための転写ローラ１３やドクターブレード１６等の位置調整等を行わなくとも、クラフト紙１０への接着剤の塗布が適切に行われる。また、接着剤が塗布されたベース紙は、凹凸の無い平面であるため、エンボス紙を貼り合わせる際に確実に接着する。
【００２２】
また、クラフト紙１０上に塗布された接着剤ライン１５ａが、エンボス紙２０の凸部の一部に筋状に貼り合わされるため、図４に示すように、クラフト紙１０とエンボス紙２０との間に隙間１０１が十分に形成される。特に、本実施形態においては、接着剤ライン１５ａを３〜１５ｃｍ程度の間隔を空けて形成しているため、隙間１０１に空気が入り込み易く、緩衝紙１００の緩衝性が高まる。なお、接着剤ライン１５ａを３ｃｍ以下の間隔でクラフト紙１０に塗布した場合、クラフト紙１０とエンボス紙２０との貼り合わせが密になりすぎ、十分な緩衝性が得られない。また、接着剤ライン１５ａを１５ｃｍ以上の間隔でクラフト紙１０に塗布した場合は、クラフト紙１０とエンボス紙２０とが接着しない部分が多くなりすぎ、緩衝紙として扱いにくくなる。
【００２３】
さらに、クラフト紙１０とエンボス紙２０とが部分的にのみ貼り合わされていることで、従来のように全面的に貼り合わされたベース紙とエンボス紙とからなる緩衝紙のように、外部からの衝撃を受けた時に、同時に破れることがなくなる。すなわち、クラフト紙１０、エンボス紙２０に衝撃が加えられた際に、その衝撃が両者に同時に伝わらず、衝撃が分散し、緩衝紙１００の引張強度や破裂強度が強まるという効果がある。
【００２４】
さらに、クラフト紙１０に接着剤を等間隔な線状に塗布することによって、緩衝紙１００を形成するために必要な接着剤の量をごく少量とするだけでなく、緩衝紙１００に適度な柔軟性を持たせることができる。すなわち、このように形成された緩衝紙１００は、緩衝紙自体に罫線を入れなくとも、接着剤の塗布されたラインに沿って歪むことなく折り曲げることができるため、荷造りや梱包作業を行う際に都合がよい。
【００２５】
また、接着剤を塗布する間隔を変更する場合、前記実施形態に示すような簡単な構造のドクターブレードを用いて接着剤の塗布を行うことで、接着剤の塗布間隔や塗布量が簡単に調整できる。また、この場合、ドクターブレード自体の製造も容易であり、安価に製作することができる。
【００２６】
また、平坦なクラフト紙１０のロールは、凹凸を含まない分、同体積のエンボス紙のロールよりも巻き長が長い。したがって、接着剤を塗布する前のクラフト紙１０が十分な巻量が確保されるため、ベース紙用供給ロール１１および転写ローラ１３にクラフト紙１０をセットする回数が、エンボス紙２０を接着剤を塗布する側に配置した場合に比べて格段に少なくなる。このため、接着剤１５を塗布する側の供給ロールにセットされた紙（紙ロール）を、ドクターブレード１６やテンションローラ４１ａ、４１ｂ、転写ローラ１３等に取り付ける回数が低減し、緩衝紙を製造する効率が向上するという効果も得られる。
【００２７】
また、クラフト紙１０へ接着剤１５を塗布すると、接着剤１５がクラフト紙１０の内部にある程度浸透するため、クラフト紙１０をエンボス紙２０へ貼り合わせる際に、接着力がやや弱まる。したがって、緩衝紙１００の廃棄時に、クラフト紙１０とエンボス紙２０とを別々に分別する必要がある場合に、クラフト紙１０とエンボス紙２０とを簡単に分離することができるという効果もある。
【００２８】
なお、本発明は上述のような実施形態に限定されるものではなく、例えばベース紙はクラフト紙以外にも不織布や合成繊維、綿等で形成された布、フィルム等を用いることもできる。また、エンボス紙２０の素材としては、エンボス加工により得られるエンボス紙のみでなく、波状シートや、他の緩衝シート等であってもよい。また、エンボスの形状は、格子状、網目状のものの他、不規則な凹凸によって形成されるものであってもよい。さらに、接着剤１５は、酢酸ビニル樹脂エマルジョン（酢ビ）、澱粉糊等の水性のものや、ホットメルトタイプのもの等が適切に用いられる。
【図面の簡単な説明】
【００２９】
【図１】本発明に係る緩衝紙製造装置の全体を示す側面図である。
【図２】図１に示す緩衝紙製造装置の転写ローラ部分を拡大して示す斜視図である。
【図３】図１に示す緩衝紙製造装置の貼り合わせ用ローラ及び押さえローラの部分を拡大して示す側面図である。
【図４】本発明にかかる緩衝紙製造装置によって形成された緩衝紙の断面を示す断面図である。
【符号の説明】
【００３０】
１  ・・・  緩衝紙製造装置
１０  ・・・  クラフト紙（ベース紙）
１１  ・・・  クラフト紙用供給ロール
１２  ・・・  接着剤塗布部
１３  ・・・  転写ローラ
１３ａ  ・・・  接点
１４  ・・・  接着剤槽
１５  ・・・  接着剤
１５ａ  ・・・  接着剤ライン
１６  ・・・  ドクターブレード
１６ａ  ・・・  ブレード部
１６ｂ  ・・・  切り欠き部
２０  ・・・  エンボス紙（加工紙）
２１  ・・・  エンボス紙用供給ロール
２１ａ，２１ｂ  ・・・  テンションローラ
３１  ・・・  貼り合わせ用ローラ
３１ａ  ・・・  上部
３２  ・・・  押さえローラ
３３ａ，３３ｂ  ・・・  テンションローラ
４０  ・・・  巻取ローラ
４１ａ，４１ｂ  ・・・  テンションローラ
１００  ・・・  緩衝紙
【図１】
2005169774.tif 000003
【図２】
2005169774.tif 000004
【図３】
2005169774.tif 000005
【図４】
2005169774.tif 000006